(57)【特許請求の範囲】
【請求項１】
基地局における方法であって、
第１の参照信号を送信するように、第１のユーザ機器（ＵＥ）装置に対して指示することと、
前記第１の参照信号を送信するために前記第１のＵＥ装置に割り振られた通信リソースを使用して、前記第１の参照信号が送信される時間と同時に、第２の参照信号を送信するように、第３のＵＥ装置に対して指示することと、
第２のＵＥ装置から、前記第１のＵＥ装置と前記第２のＵＥ装置との間のＤ２Ｄ通信リンクを示す端末間（Ｄ２Ｄ）チャネル特性情報を受信することであって、前記Ｄ２Ｄチャネル特性情報は、前記第２のＵＥ装置において受信した前記第１のＵＥ装置によって送信される前記第１の参照信号であるＵＥ装置受信参照信号から判定される、ことと、
前記第３のＵＥ装置によって送信された前記第２の参照信号と前記第１のＵＥ装置によって送信された前記第１の参照信号との間の干渉のレベルを判定することと、
前記干渉のレベルに基づいて、前記第１のＵＥ装置及び前記第３のＵＥ装置に通信リソースを割り当てることと、
前記割り当てに基づいて、前記第１のＵＥ装置及び前記第３のＵＥ装置に送信パラメータを送信することと、を含む、方法。
【請求項２】
前記Ｄ２Ｄチャネル特性情報は、異なる時間に前記第２のＵＥ装置において受信した、複数の前記ＵＥ装置受信参照信号に基づいている、請求項１に記載の方法。
【請求項３】
前記Ｄ２Ｄチャネル特性情報を受信することは、異なる時間に前記第２のＵＥ装置から送信される複数のメッセージ内にある前記Ｄ２Ｄチャネル特性情報を受信することを含む、請求項２に記載の方法。
【請求項４】
前記第２のＵＥ装置に対して、前記第１の参照信号を少なくとも部分的に特徴付けている参照信号情報を送ることを更に含む、請求項１に記載の方法。
【請求項５】
前記第１のＵＥ装置に対して指示することは、前記第１の参照信号の送信用に割り当てられた一組の通信リソースを識別することを含み、前記第１の参照信号は、前記第１のＵＥ装置が選択した被選択通信リソースを使用して送信される、請求項１に記載の方法。
【請求項６】
前記第２のＵＥ装置に対して、前記第１の参照信号を少なくとも部分的に特徴付けている参照信号情報を送ることを更に含み、前記参照信号情報は、前記第１のＵＥ装置に割り振られたＵＥ識別コード、前記第１のＵＥ装置が参照信号送信用に使用するホッピングパターン、参照信号コード、及び前記一組の通信リソースのうち少なくとも１つを含む、請求項５に記載の方法。
【請求項７】
前記干渉のレベルが閾値を下回る場合、前記第１のＵＥ装置及び前記第３のＵＥ装置に同じ通信リソースが割り当てられる、請求項１に記載の方法。
【請求項８】
前記割り当てることは、前記第１のＵＥ装置に対してＤ２Ｄ通信用にＤ２Ｄ通信リソースを割り当てることと、前記第３のＵＥ装置に対してセルラ通信用にセルラ通信リソースを割り当てることと、を含む、請求項７に記載の方法。
【請求項９】
前記割り当てることは、前記第１のＵＥ装置に対してＤ２Ｄ通信用にＤ２Ｄ通信リソースを割り当て、前記第３のＵＥ装置に対してＤ２Ｄ通信用にＤ２Ｄ通信リソースを割り当てることを含む、請求項７に記載の方法。
【請求項１０】
基地局であって、
送信部であって、前記送信部は、
第１の参照信号を送信するように、第１のユーザ機器（ＵＥ）装置に対して指示する参照信号送信指示を送信し、
前記第１の参照信号を送信するために前記第１のＵＥ装置に割り振られた通信リソースを使用して、前記第１の参照信号が送信される時間と同時に、第２の参照信号を送信するように、第３のＵＥ装置に対して指示する他の参照信号送信指示を前記第３のＵＥ装置に送信するように構成された、送信部と、
第２のＵＥ装置から、前記第１のＵＥ装置と前記第２のＵＥ装置との間のＤ２Ｄ通信リンクを示す端末間（Ｄ２Ｄ）チャネル特性情報を受信するように構成された受信部であって、前記Ｄ２Ｄチャネル特性情報は、前記第２のＵＥ装置において受信した前記第１のＵＥ装置によって送信される前記第１の参照信号であるＵＥ装置受信参照信号から判定される、受信部と、
制御部であって、前記制御部は、
前記第３のＵＥ装置によって送信された前記第２の参照信号と前記第１のＵＥ装置によって送信された前記第１の参照信号との間の干渉のレベルを判定し、
前記干渉のレベルに基づいて、前記第１のＵＥ装置及び前記第３のＵＥ装置に通信リソースを割り当てるように構成された、制御部と、を備え、
前記送信部は、前記割り当てに基づいて、前記第１のＵＥ装置及び前記第３のＵＥ装置に送信パラメータを送信するように構成されている、基地局。
【請求項１１】
前記Ｄ２Ｄチャネル特性情報は、異なる時間に前記第２のＵＥ装置において受信した、複数のＵＥ装置受信参照信号に基づいている、請求項１０に記載の基地局。
【請求項１２】
前記受信部は、異なる時間に前記第２のＵＥ装置から送信される複数のメッセージ内にある前記Ｄ２Ｄチャネル特性情報を受信することによって、前記Ｄ２Ｄチャネル特性情報を受信するように構成されている、請求項１１に記載の基地局。
【請求項１３】
前記送信部は、前記第２のＵＥ装置に対して、前記第１の参照信号を少なくとも部分的に特徴付けている参照信号情報を送るように構成されている、請求項１０に記載の基地局。
【請求項１４】
前記参照信号送信指示は、前記第１の参照信号の送信用に割り当てられた一組の通信リソースを識別し、前記第１の参照信号は、前記第１のＵＥ装置が選択した被選択通信リソースを使用して送信される、請求項１０に記載の基地局。
【請求項１５】
前記送信部は、前記第２のＵＥ装置に対して、前記第１の参照信号を少なくとも部分的に特徴付けている参照信号情報を送るように構成され、前記参照信号情報は、前記第１のＵＥ装置に割り振られたＵＥ識別コード、前記第１のＵＥ装置が参照信号送信用に使用するホッピングパターン、参照信号コード、及び前記一組の通信リソースのうち少なくとも１つを含む、請求項１４に記載の基地局。
【請求項１６】
前記干渉のレベルが閾値を下回る場合、前記第１のＵＥ装置及び前記第３のＵＥ装置に同じ通信リソースが割り当てられる、請求項１０に記載の基地局。
【請求項１７】
前記制御部は、前記第１のＵＥ装置に対してＤ２Ｄ通信用にＤ２Ｄ通信リソースを割り当て、前記第３のＵＥ装置に対してセルラ通信用にセルラ通信リソースを割り当てる、請求項１６に記載の基地局。
【請求項１８】
前記制御部は、前記第１のＵＥ装置に対してＤ２Ｄ通信用にＤ２Ｄ通信リソースを割り当て、前記第３のＵＥ装置に対してＤ２Ｄ通信用にＤ２Ｄ通信リソースを割り当てる、請求項１６に記載の基地局。
【発明の詳細な説明】
【優先権の主張】
【０００１】
本願は、仮出願第６２／０３４，９５１号（発明の名称「（ネットワーク支援のＤ２Ｄ送信ＵＥ参照信号）Ｎｅｔｗｏｒｋ−Ａｓｓｉｓｔｅｄ  Ｄ２Ｄ  Ｔｒａｎｓｍｉｔ  ＵＥ  Ｒｅｆｅｒｅｎｃｅ  Ｓｉｇｎａｌ」、整理番号ＴＰＲＯ  ００２５５ＵＳ、２０１４年８月８日出願、本願の譲受人に譲渡）に対する優先権を主張するものであり、当該出願の全体を参照により本明細書に明示的に援用する。
【技術分野】
【０００２】
本発明は、概して無線通信に関するものであり、より具体的には、ネットワーク支援の参照信号送信を用いた装置間（Ｄ２Ｄ）チャネル管理に関する。
【背景技術】
【０００３】
多くの無線通信システムでは、地理的サービスエリアを提供する基地局が使用され、無線通信ユーザ機器（ＵＥ）装置は、その無線通信ＵＥ装置が位置している特定の地理的サービスエリアを提供する基地局（発展型ノードＢ、ｅＮＢ）と通信する。これらの基地局は、無線通信装置と他の装置との間での通信リンクの形成を可能とするネットワーク内で接続されている。場合によっては、ある基地局のサービスエリア内のＵＥ装置間での通信リンクが存在し得る。これらのＵＥ装置間のセルラ通信リンクには、サービスを提供する基地局を介した通信が含まれる。チャネル品質が十分に高い場合は、これらのＵＥ装置では、基地局を介したデータのルーティングを含まない、装置間（Ｄ２Ｄ）通信リンクを介した直接的な通信が可能である。場合によっては、これら２つのＵＥ装置間での直接的なＤ２Ｄ通信リンクとすることが、基地局を介した通信よりも好ましいこともある。
【発明の概要】
【０００４】
基地局（ｅＮＢ）は、第１のユーザ機器（ＵＥ）装置と第２のＵＥ装置との間のＤ２Ｄ通信リンクを介した信号送信のための端末間（Ｄ２Ｄ）送信パラメータを決定する。ｅＮＢは、第１のＵＥ装置に対して、第２のＵＥ装置が受信する参照信号を送信するように指示する。第２のＵＥ装置は、受信した参照信号を示すＤ２Ｄチャネル特性情報を報告する。Ｄ２Ｄチャネル特性情報に基づいて、基地局は、Ｄ２Ｄ送信パラメータを決定し、そのパラメータを第１のＵＥ装置に提供する。
【図面の簡単な説明】
【０００５】
図１Ａは、第２のＵＥ装置において受信した参照信号から判定されるＤ２Ｄチャネル特性情報に基づいて、第１のユーザ機器（ＵＥ）装置と第２のＵＥ装置との間のＤ２Ｄ通信用のＤ２Ｄ送信パラメータを基地局（ｅＮＢ）が決定している、端末間（Ｄ２Ｄ）通信をサポートするセルラ通信システムのブロック図である。
【０００６】
図１Ｂは、ｅＮＢが第１のＵＥ装置に対して参照信号を送信するように指示し、第２のＵＥ装置が受信した参照信号に基づいてＤ２Ｄチャネル特性情報を報告する、通信システムのブロック図である。
【０００７】
図１Ｃは、ｅＮＢが第１のＵＥ装置及び第３のＵＥ装置に対して、同じ時間及び周波数で参照信号を送信して、干渉のレベルを判定するように指示する、通信システムのブロック図である。
【０００８】
図１Ｄは、ｅＮＢが第１のＵＥ装置及び第３のＵＥ装置に対して、同じ時間及び周波数で参照信号を送信して、他のＤ２Ｄ装置との干渉のレベルを判定するように指示する、通信システムのブロック図である。
【０００９】
図２は、ＵＥ装置のうちの１つとして使用するのに好適なＵＥ装置の一例を示すブロック図である。
【００１０】
図３は、図１の基地局（ｅＮＢ）として使用するのに好適な基地局（ｅＮＢ）の一例を示すブロック図である。
【００１１】
図４は、ネットワーク支援参照信号送信に基づく、Ｄ２Ｄ送信パラメータの決定の一例を示すメッセージ図である。
【００１２】
図５は、ネットワーク支援参照信号送信に基づく、ｅＮＢ１０８における干渉のレベルの判定の一例を示すメッセージ図である。
【００１３】
図６は、ネットワーク支援参照信号送信に基づく、Ｄ２Ｄ  ＵＥ装置における干渉のレベルの判定の一例を示すメッセージ図である。
【００１４】
図７は、ｅＮＢにおいて行われるネットワーク支援参照信号送信を用いた、通信を管理する方法の一例を示すフローチャートである。
【００１５】
図８は、参照信号を含む、Ｄ２Ｄ  ＵＥ装置による送信の一例を示す図である。
【発明を実施するための形態】
【００１６】
図１Ａは、装置間（Ｄ２Ｄ）通信がサポートされるセルラ通信システム１００のブロック図である。ここでは、基地局（ｅＮＢ）は、第２のＵＥ装置で受信された基準信号から決定されたＤ２Ｄチャネル特性情報に基づいて、第１のユーザ機器（ＵＥ）装置１０２と第２のＵＥ装置１０４との間のＤ２Ｄ通信のためのＤ２Ｄ送信パラメータを決定する。この例では、２つのＵＥ装置１０２，１０４のそれぞれは、送信装置及び受信装置とすることができるが、状況によっては、装置が受信装置又は送信装置のみであってもよい。図１Ａ及び図１Ｂの例では、第１のＵＥ装置１０２及び第２のＵＥ装置１０４が、基地局（ｅＮＢ）１０８によって提供される地理的サービスエリア１０６内にあり、Ｄ２Ｄリンク越しに通信可能である。チャネル条件がＤ２Ｄ通信をサポートするのに十分である場合でも、Ｄ２Ｄは優先リンクではない可能性がある。第１のＵＥ装置１０２と第２のＵＥ装置１０４との間のデータ送信のために、セルラ通信リンク１１２と同様にＤ２Ｄ通信リンク１１０を確立することもできる。Ｄ２Ｄ通信リンク１１０は、第１のＵＥ装置１０２と第２のＵＥ装置１０４との間の直接的な無線通信リンクであり、基地局（ｅＮＢ）１０８を介したデータのルーティングは行われない。セルラ通信リンク１１２は、少なくとも、第１のＵＥ装置１０２から基地局（ｅＮＢ）１０８への上りリンク部分１１６と、基地局（ｅＮＢ）１０８から第２のＵＥ装置１０４への下りリンク部分１１８と、を含む。それ故、第１のＵＥ装置１０２から第２のＵＥ装置１０４へデータを送ることには、ｅＮＢへの上りリンク送信と、ｅＮＢから第２のＵＥ装置への下りリンク送信とが含まれる。上りリンク送信は、１つ又は２つ以上の上りリンクチャネル１２４越しに、第１の部分１１６において送信される。基地局１０８は、１つ又は２つ以上の下りリンクチャネル１２６越しに、下りリンク送信を第１のＵＥ装置１０２へ送信する。また、基地局１０８は、下りリンクチャネル１２８越しに第１のＵＥ装置１０２へと下りリンク信号を送信でき、かつ上りリンクチャネル１３０越しに第２のＵＥ装置から上りリンク信号を受信できる。したがって、この例では、セルラ通信リンクは双方向である。
【００１７】
Ｄ２Ｄ通信リンク１１０越しに、第１のＵＥ装置１０２からＵＥ装置第２のＵＥ装置１０４へデータを送ることには、１つ又は２つ以上のＤ２Ｄ送信チャネル１３４越しのＤ２Ｄ送信１３２が含まれる。また、送信ＵＥ装置は、Ｄ２Ｄ受信チャネル１３６越しに、ＵＥ装置第２のＵＥ装置１０４から信号を受信することもできる。Ｄ２Ｄ送信チャネル１３４のうちの１つ又は２つ以上が、Ｄ２Ｄ受信チャネル１３６と同一であってもよい。本明細書における例の場合、Ｄ２Ｄチャネル１３４、１３６は、セルラ上りリンクチャネルのサブセットである。場合によっては、下りリンクチャネルを使用することもできる。
【００１８】
基地局（ｅＮＢ）１０８は、地理的サービスエリア１０６（場合によっては、セルとも呼ばれる）内にある無線通信ユーザ機器（ＵＥ）装置１０２、１０４に対して無線通信サービスを提供する。典型的には、複数のサービスエリアを提供して広い領域をカバーするため、バックホール（図示せず）を介して複数の基地局を相互接続する。システムエンティティを形成し、モビリィティ管理エンティティ（ＭＭＥ）、スケジューリング、ゲートウェイ、及び他の機能などのシステムの機能を実行する他のシステム構成要素は、簡潔かつ明瞭にするために、図１では省略されている。これらの機器の様々な機能及び動作に関する、図１についてのいずれの記載も、任意の数の装置、回路、又は要素において実装されてよいものである。場合によっては、２つ以上の機能ブロックを単一の装置内に統合してもよいし、いずれかの単一装置において行われるものと記載された機能が、複数の装置に渡って実装されてもよい。典型的には、セルラ通信システムには、通信規格又は仕様を順守することが求められる。第３世代パートナシッププロジェクトロング・ターム・エボリューション（３ＧＰＰ  ＬＴＥ）による通信仕様は、基地局（ｅＮｏｄｅＢ）が、下りリンクでは直交周波数分割多重方式（ＯＦＤＭ）を用い、上りリンクではシングルキャリア周波数分割多元接続方式（ＳＣ−ＦＤＭＡ）を用いて、無線通信装置（ユーザ機器（ＵＥ）装置）にサービスを提供するシステムについての仕様である。本明細書に記載する手法が他のタイプの通信システムにおいて適用されてもよいが、本明細書に記載する例示的なシステムは、３ＧＰＰ  ＬＴＥ通信仕様の少なくとも１つの改訂版に従って動作する。
【００１９】
基地局（ｅＮＢ）１０８は、固定された送受信ステーション（発展型ノードＢ、ｅＮｏｄｅＢ、又はｅＮＢとも呼ばれる）であり、場合によっては、制御部を含んでいてもよい。基地局１０８は、バックホールを介して制御部に接続されていてよく、このバックホールには、有線、光、及び／又は無線による通信チャネルの任意の組み合わせが含まれ得る。制御部は、３ＧＰＰ  ＬＴＥ通信システムにおけるモビリィティ管理エンティティ（ＭＭＥ）の機能、及びパケットゲートウエイ（Ｐ−ＧＷ）を含み得る。
【００２０】
無線（ＵＥ）通信装置（ＵＥ装置）１０２、１０４は、モバイル装置、無線装置、無線通信装置、モバイル無線装置、ユーザ機器、ＵＥ、ＵＥ装置、並びに他の用語で呼ばれる場合もある。ＵＥ装置１０２、１０４は、基地局と、また、Ｄ２Ｄ構成で他の無線通信装置と通信するための電子部品及びコードを含む。ＵＥ装置としては、携帯電話、パーソナルデジタルアシスタント（ＰＤＡ）、無線モデムカード、無線モデム、無線通信回路を備えたテレビ、ラップトップコンピュータ、デスクトップコンピュータ、並びに他の装置などの装置を挙げることができる。それ故、無線通信用電子部品を電子装置と組み合わせることにより、ＵＥ装置１０２、１０４が形成され得る。例えば、ＵＥ装置は、機械、コンピュータ、又はテレビに接続された無線モデムを含んでいてもよい。
【００２１】
基地局１０８は、ＵＥ装置１０２、１０４と無線信号を交換する無線送受信部を含む。基地局からの送信、及びＵＥ装置１０２、１０４からの送信は、送信のシグナリング、プロトコル、及びパラメータを定義する通信仕様に準拠している。また、通信仕様により、通信に関して厳密な規則が提供されてもよいし、通信仕様を順守しながらも具体的な実装に変化を持たせ得るような一般的な要件が提供されてもよい。以下の記載は、３ＧＰＰロング・ターム・エボリューション（ＬＴＥ）通信仕様向けのものではあるが、場合によっては、他の通信仕様が用いられてもよい。通信仕様では、少なくとも上りリンク送信及び下りリンク送信のためのデータチャネル及び制御チャネルが定義され、基地局からＵＥ装置への物理下りリンク制御チャネルのための、少なくともいくつかのタイミング及び周波数パラメータが指定される。
【００２２】
以下でより詳細に検討するように、ｅＮＢ１０８は、第１のＵＥ装置１０２に対して、参照信号を送信するように指示する。第１のＵＥ装置は、第２のＵＥ装置１０４が受信する参照信号１４０を送信する。受信した参照信号に基づき、第２のＵＥ装置１０４は、Ｄ２Ｄチャネル特性情報１４２を決定し、それをｅＮＢ１０８に送信する。Ｄ２Ｄチャネル特性情報１４２に基づき、ｅＮＢは、第１のＵＥ装置１０２が第２のＵＥ装置１０４へのＤ２Ｄ送信１３２のために使用すべきＤ２Ｄ送信パラメータを決定する。
【００２３】
図１Ｂは、ｅＮＢ１０８が第１のＵＥ装置１０２に対して参照信号１４０を送信するように指示し、第２のＵＥ装置が受信した参照信号に基づいてＤ２Ｄチャネル特性情報１４２を報告する、通信システム１００のブロック図である。ｅＮＢ１０８は、ＵＥ装置に対して参照信号１４０を送信するように指示する参照信号送信指示１４４を第１のＵＥ装置１０２に送る。指示１４４は、第１のＵＥ装置１０２が参照信号１４０を送信するために使用すべき通信リソースを識別する。例として、指示１４４は、ＰＤＣＣＨ／ＰＤＳＣＨ又は上位層シグナリングなどの下りリンクチャネルで送信される。状況によっては、参照信号送信指示１４４は、システム情報ブロック（ＳＩＢ）を介して報知されてもよい。かかる手法は、一組のＤ２Ｄ  ＵＥ装置が同時に指示を受けた場合に、有用であり得る。他のチャネルを使用して、参照信号送信指示１４４を送信してもよい。
【００２４】
参照信号送信指示１４４は、ある状況においては、ＵＥ装置が参照信号を送信するために使用すべきリソースを特に識別する。他の状況においては、参照信号送信指示１４４は、ＵＥ装置が参照信号の送信に使用してもよい一組のリソースを識別することができ、ＵＥ装置がＤ２Ｄ通信に興味がある場合、ＵＥ装置は、その一組のリソースから、参照信号を送信するための通信リソースを自律的に選択するように指示される。例として、参照信号送信指示１４４は、参照信号送信のための周波数／時間通信リソースと、参照信号を送信するための電力レベルとを識別する。電力レベルは、ｅＮＢと第１のＵＥ装置との間の閉ループ電力制御に基づいていてもよい。ｅＮＢが知っている固定既知送信電力レベルを参照信号用に使用する。一例では、ｅＮＢは、このパラメータを、ＳＩＢメッセージングで全てのＵＥ装置に提供し得る。別の例では、ｅＮＢは、上りリンク受信電力レベルに基づいて、送信電力レベルを第１のＵＥ装置に示し得る。
【００２５】
参照信号１４０は、Ｄ２Ｄ通信用に使用されるであろうキャリアで送信される。したがって、本例では、参照信号１４０は、Ｄ２Ｄ通信用に割り当てられた上りリンクキャリアで送信される。
【００２６】
以下で図１Ｃを参照して検討するように、参照信号１４０は、状況によっては、ｅＮＢによって受信されてもよい。以下で検討するように、ｅＮＢは、複数のＵＥ装置に対して、同じ周波数及び時間で参照信号を送信して、他のＵＥ装置に起因する干渉のレベルを判定するように指示し得る。しかしながら、かかる手法は、任意選択的であり、Ｄ２Ｄチャネル特性が報告される度に行わなくてもよい。そのため、図１Ｂでは、ｅＮＢ１０８が受信する参照信号を一点鎖線で示している。
【００２７】
ｅＮＢ１０８はまた、第２のＵＥ装置１０４（対象のＵＥ装置）に参照信号受信指示１４６を送信し、指示１４６は、第１のＵＥ装置から参照信号１４０を送信するために使用するであろう通信リソースを示す。例として、指示１４６は、ＰＤＣＣＨ／ＰＤＳＣＨ及び／又は上位層シグナリングなどの下りリンクチャネルで送信される。他のチャネルを使用してもよい。状況によっては、参照信号受信指示１４６は、参照信号送信に使用してもよい一組のリソースを識別する。例えば、参照信号受信指示１４６は、ＳＩＢメッセージングを介して送信され得る。したがって、第１のＵＥ装置が通信リソース自律的に選択し、第２のＵＥ装置が受信する参照信号を送信した場合、第２のＵＥ装置は、Ｄ２Ｄチャネル特性を報告してもよい。指示１４６はまた、第２のＵＥ装置がｅＮＢ１０８にＤ２Ｄチャネル特性情報を送信するために使用すべき通信リソースを識別する。状況によっては、チャネル情報を報告するための通信リソースは、ｅＮＢによって、別個のメッセージによって提供されてもよい。第２のＵＥ装置１０４は、参照信号１４０を受信し、Ｄ２Ｄチャネル特性情報を判定し、次いで、この情報をｅＮＢ１０８に報告する。
【００２８】
第２のＵＥ装置１０４によって判定されたＤ２Ｄチャネル特性情報１４２は、様々な種類の情報及びフォーマットを含んでいてもよい。第２のＵＥ装置１０４は、送信側ＵＥ装置からＤ２Ｄ送信チャネル１３４を介して送信される参照信号１４０を、測定又は評価する。例として、参照信号（Ｄ２Ｄ送信チャネル）を測定・評価する手法は、上りリンクチャネルに関してｅＮＢが上りリンクチャネル状態情報（ＣＳＩ）を判定するための、３ＧＰＰ  ＬＴＥシステムで使用されている従来技術と類似である。実際のＤ２Ｄ  ＣＳＩパラメータは、Ｄ２Ｄチャネル特性情報１４２としてｅＮＢ１０８に送られてもよい。しかしながら、状況によっては、ｅＮＢ１０８に送られるＤ２Ｄチャネル特性情報１４２は、ＣＳＩパラメータに基づく情報であってもよい。例えば、その情報は、実際のＣＳＩパラメータではなく、ＣＳＩパラメータに由来する情報であってもよい。したがって、例では、Ｄ２Ｄチャネル特性情報１４２は、第２のＵＥ装置が測定したＣＳＩパラメータを少なくとも示している。第２のＵＥ装置は、単一の参照信号を受信した後にＤ２Ｄチャネル特性情報を報告してもよいが、本例では、ＵＥ装置は、経時的に受信した複数の参照信号に基づく情報を報告する。したがって、例では、複数の参照信号が受信かつ処理されて、ＣＳＩパラメータを決定している。時間平均化及びフィルタリングなどの手法を使用して、測定を実施し、ＣＳＩ報告を生成してもよい。
【００２９】
図１Ｃは、ｅＮＢ１０８が第１のＵＥ装置１０２及び第３のＵＥ装置１４８に対して、同じ時間及び周波数で参照信号１４０、１５０を送信して、干渉のレベルを判定するように指示する、通信システム１００のブロック図である。図１Ｃの例では、第３のＵＥ装置１４８は、Ｄ２Ｄ通信リンクではなくセルラ通信リンクを使用して通信を行う、もしくは行うであろうセルラＵＥ装置である。ｅＮＢ１０８は、第３のＵＥ装置１４８に参照信号送信指示１５２を送ることによって、第３のＵＥ装置１４８に対して参照信号１５０を送信するように指示する。指示１５２は、第１のＵＥ装置から送信される参照信号１４０と同じ時間及び周波数での参照信号１５０の送信をもたらす、参照信号送信パラメータを提供する。特定の条件下では、参照信号１４０は、参照信号１５０との干渉を引き起こす。ｅＮＢは、参照信号１４０、１５０の両方を受信し、干渉のレベルが許容可能（例えば、閾値を下回る）かどうかを判定する。ｅＮＢは、Ｄ２Ｄ送信パラメータを決定する際、干渉レベルを考慮に入れる。例えば、干渉が許容可能でない場合、時間／周波数通信リソースは、再利用されない。言い換えると、異なるＵＥ装置の参照信号の干渉が閾値を超える場合、異なるＵＥ装置に対して同じ通信リソースを割り振ることはない。
【００３０】
図１Ｄは、ｅＮＢ１０８が第１のＵＥ装置１０２及び第３のＵＥ装置１５４に対して、同じ時間及び周波数で参照信号１４０、１５６を送信して、他のＤ２Ｄ装置との干渉のレベルを判定するように指示する、通信システム１００のブロック図である。複数組のＤ２Ｄ  ＵＥ装置が互いに近接した状態で通信を行っている場合、同じ通信リソースを使用すると、その送信が干渉を引き起こす可能性がある。一方、通信リソースを効率的に使用するためには、可能ならば通信を再利用することが必要になる。図１Ｄの例では、参照信号を使用して、異なる組のＤ２Ｄ  ＵＥ装置間でのＤ２Ｄ通信用に通信リソースを再利用できるかどうかを判定する。図１Ｄの例では、第３のＵＥ装置１５４は、Ｄ２Ｄ通信リソースを使用している、あるいは使用するように要求したＤ２Ｄ  ＵＥ装置である。ｅＮＢ１０８は、第３のＵＥ装置１５４に参照信号送信指示１５８を送ることによって、第３のＵＥ装置１５４に対して参照信号１５６を送信するように指示する。指示１５８は、第１のＵＥ装置から送信される参照信号１４０と同じ時間及び周波数での参照信号１５６の送信をもたらす、参照信号送信パラメータを提供する。特定の条件下では、参照信号１４０は、他のＵＥ装置において参照信号１５６との干渉を引き起こす、かつ／又は参照信号１５６は、参照信号１４０との干渉を引き起こす。ｅＮＢは、第４のＵＥ装置１６２に参照信号受信指示１６０を送って、第４のＵＥ装置に対して参照信号１５６の送信を通知し、ＵＥ装置が参照信号１５６を受信するのを補助するための情報を提供する。第２のＵＥ装置１０４は、第２の参照信号１５６が第１の参照信号１４０に対して引き起こした干渉のレベルを判定し、その干渉をｅＮＢに報告する。第４のＵＥ装置１６２は、第１の参照信号１４０が第２の参照信号１５６に対して引き起こした干渉のレベルを判定し、その干渉をｅＮＢに報告する。報告された干渉情報は、干渉のレベルを示す、いかなる種類のパラメータを含んでいてもよい。好適な干渉パラメータの例として、参照信号の電力レベル、及び信号対雑音比（ＳＮＲ）、信号対干渉電力と雑音比（ＳＩＮＲ）（信号対雑音と干渉電力比（ＳＮＩＲ）ともいう）、又はこれらの組み合わせなどの電力レベルの電力比が挙げられる。干渉情報は、第４のＵＥ装置からＤ２Ｄチャネル特性情報１６４の一部として報告されてもよく、あるいは別個に送信されてもよい。第２のＵＥ装置によって判定された干渉情報は、Ｄ２Ｄチャネル特性情報１４２で送信されてもよい。
【００３１】
干渉情報に基づき、ｅＮＢは、異なる組のＤ２Ｄ  ＵＥ装置に対して同じ通信リソースを割り振れるかどうかを判定する。干渉が閾値を下回る場合、ｅＮＢは、通信リソースを再利用する。
【００３２】
図２は、図１のＵＥ装置１０２、１０４、１４８，１５４，１６２のうちの１つとして使用されるのに好適なＵＥ装置２００の一例のブロック図である。ＵＥ装置２００は、例えば、メモリ及びユーザインタフェースなどの他の部品及び回路（図示せず）と共に、送受信部２０２と、制御部２０４と、を含む。
【００３３】
送受信部２０２は、それぞれ上りリンクチャネル及び下りリンクチャネル越しに、上りリンク無線信号を基地局（ｅＮＢ）へ送信する送信部と、基地局（ｅＮＢ）から下りリンク無線信号を受信する受信部と、を含む。また、送受信部２０２は、例えば、上りリンク通信リソースなどの割り当てられたセルラリソースを使用して、Ｄ２Ｄ信号を送信及び受信するように構成される。制御部２０４は、ＵＥ装置２００の部品を制御して、本明細書に記載する装置２００の機能を管理すると共に、装置２００の全体的な機能性を高める。制御部２０４は、送受信部２０２及びメモリなどの他の部品に接続されている。
【００３４】
また、送受信部２０２内の受信部を使用してパラメータを測定し、下りリンクチャネル及びＤ２Ｄチャネルについてのチャネル特性を決定し得る。制御部及び受信部は、チャネル特性情報を示す１つ又は２つ以上のパラメータを測定する。チャネル特性情報は、例えば、チャネルの品質、チャネルを介した送信のために必要な送信電力、又は、受信基準信号に関連する電力レベルである。受信基準信号に関連する電力レベルは、例えば、総受信電力、信号対雑音比（ＳＮＲ）、信号対干渉電力と雑音比（ＳＩＮＲ）（信号対雑音と干渉電力比（ＳＮＩＲ）ともいう）、若しくはこれらの組み合わせなどである。ＵＥ装置２００内の制御部２０４は、測定されたチャネルパラメータに基づいてＣＳＩパラメータを決定し、ｅＮＢに送信されるＣＳＩレポートを生成する。
【００３５】
図３は、図１の基地局（ｅＮＢ）１０８として使用されるのに好適な基地局（ｅＮＢ）３００の一例のブロック図である。基地局（ｅＮＢ）３００は、送受信部３０２と、制御部３０４と、通信インタフェース３０６を、例えば、メモリなどの他の部品及び回路（図示せず）と共に含んでいる。
【００３６】
送受信部３０２は、サービスエリア１０６内のＵＥ装置１０４、１０６と無線信号を交換する。基地局（ｅＮＢ）からの送信、及びＵＥ装置からの送信は、送信のシグナリング、プロトコル、及びパラメータを定義する通信仕様に準拠している。また、通信仕様により、通信に関して厳密な規則が提供されてもよいし、通信仕様を順守しながらも具体的な実装に変化を持たせ得るような一般的な要件が提供されてもよい。ここでの記載は、３ＧＰＰロング・ターム・エボリューション（ＬＴＥ）通信仕様向けのものではあるが、場合によっては、他の通信仕様が用いられてもよい。通信仕様では、少なくとも上りリンク送信及び下りリンク送信のためのデータチャネル及び制御チャネルが定義され、物理チャネルのための、少なくとも何らかのタイミング及び周波数パラメータが指定される。
【００３７】
したがって、送受信部３０２は、下りリンク信号を送信するための下りリンク送信部と、上りリンク信号を受信するための上りリンク受信部と、を少なくとも含む。受信部及び制御部は、１つ又は２つ以上のパラメータを測定して、上りリンクチャネルの特性を判定する。したがって、受信部は、ＵＥ装置によって送信される参照信号を測定して、セルラチャネルの品質、チャネルを介した送信に必要な送信電力、及び／又は総受信電力、信号対雑音比（ＳＮＲ）、信号対干渉電力と雑音比（ＳＩＮＲ）（信号対雑音と干渉電力比（ＳＮＩＲ）ともいう）、若しくはこれらの組み合わせなどの受信した参照信号に関連している電力レベルなどのセルラチャネル特性情報を判定することができる。
【００３８】
また、この例の場合、基地局（ｅＮＢ）３００は、他のｅＮＢ及びネットワークエンティティとのバックホール越しの通信を容易にする通信インタフェース３０６を含む。Ｘ２シグナリングが利用可能な場合は、通信インタフェース３１２は、Ｘ２を使用してバックホール越しに通信する。
【００３９】
他の機能に加え、制御部は、チャネル特性情報を評価して、Ｄ２Ｄ  ＵＥ装置及びセルラＵＥ装置を含むＵＥ装置に対して通信リソースの割り当て及び割り振りを行う。図１Ａ、図１Ｂ、図１Ｃ及び図１Ｄを参照して検討した例は、単独で行ってもよいし、一括して行ってもよい。例えば、ｅＮＢは、ある状況においては、一組のＤ２Ｄ  ＵＥ装置用にだけＤ２Ｄ送信パラメータを決定してもよい。他の状況においては、ｅＮＢは、複数組のＤ２Ｄ  ＵＥ装置用にＤ２Ｄ送信パラメータを決定し、Ｄ２Ｄ及びセルラ通信用の通信リソースを割り当ててもよい。
【００４０】
図４は、ネットワーク支援参照信号送信に基づく、Ｄ２Ｄ送信パラメータの決定の一例を示すメッセージ図４００である。したがって、図４を参照して検討したメッセージ送信は、図１Ａ及び図１Ｂを参照して検討した例に好適なメッセージ送信の一例を提示する。
【００４１】
送信４０２では、ｅＮＢ１０８は、第１のＵＥ装置に参照信号送信指示１４４を送信し、本指示は、第１のＵＥ装置が参照信号１４０を送信するために使用すべき通信リソースを識別する。例として、指示１４４は、ＰＤＣＣＨ／ＰＤＳＣＨで送信されるが、他のチャネルを使用してもよい。
【００４２】
送信４０４では、ｅＮＢ１０８は、第２のＵＥ装置に参照信号受信指示１４６を送信し、指示１４６は、第１のＵＥ装置が参照信号１４０を送信するために使用するであろう通信リソースを識別する。例として、指示１４６は、ＰＤＣＣＨ／ＰＤＳＣＨで送信されるが、他のチャネルを使用してもよい。状況によっては、参照信号受信指示１４６は、第２のＵＥ装置がｅＮＢにＤ２Ｄチャネル特性を報告するために使用すべき通信リソースを識別する。
【００４３】
第１の参照信号は、第１のＵＥ装置１０２によって送信され、送信４０６で第２のＵＥ装置によって受信される。
【００４４】
イベント４０８では、第２のＵＥ装置１０４は、Ｄ２Ｄ通信リンク１１０のＤ２Ｄチャネル特性を判定する。例として、第２のＵＥ装置１０４は、参照信号を受信及び評価して、ＣＳＩパラメータを決定する。
【００４５】
送信４１０では、第２のＵＥ装置は、ｅＮＢ１０８にＤ２Ｄチャネル特性情報を送る。例として、第２のＵＥ装置１０４は、ｅＮＢ１０８が識別した通信リソースを介してＣＳＩパラメータを示すメッセージを送る。かかる通信リソースは、例えば、ＰＵＣＣＨ／ＰＵＳＣＨにおけるリソースを含んでいてもよい。
【００４６】
イベント４１２では、ｅＮＢは、第１のＵＥ装置１０２から第２のＵＥ装置１０４にＤ２Ｄ信号を送信するためのＤ２Ｄ送信パラメータを決定する。Ｄ２Ｄチャネル用のＣＳＩパラメータに基づき、ｅＮＢは、符号化、変調、送信電力、時間／周波数リソース、及びＭＩＭＯパラメータの任意の組合せを含み得る、適切な送信パラメータを決定する。他のパラメータが含まれていてもよい。
【００４７】
送信４１４では、ｅＮＢ１０８は、第１のＵＥ装置１０２にＤ２Ｄ送信パラメータを送信する。好適な手法としては、ＰＤＣＣＨ／ＰＤＳＣＨを介したパラメータの送信が挙げられる。
【００４８】
図５は、ネットワーク支援参照信号送信に基づく、ｅＮＢ１０８における干渉のレベルの判定の一例を示すメッセージ図５００である。したがって、図５を参照して検討したメッセージ送信は、図１Ａ及び図１Ｃを参照して検討した例に好適なメッセージ送信の一例を提示する。例として、第３のＵＥ装置１４８は、セルラ通信を使用して通信を行っている、もしくは行うであろうセルラＵＥ装置である。簡潔かつ明瞭にするために、他の図を参照して検討した一部の送信は、図５では示していない。
【００４９】
送信５０２では、ｅＮＢ１０８は、第１のＵＥ装置１０２に参照信号送信指示１４４を送信し、指示１４４は、第１のＵＥ装置１０２が第１の参照信号１４０を送信するために使用すべき通信リソースを識別する。例として、指示１４４は、ＰＤＣＣＨ／ＰＤＳＣＨで送信されるが、他のチャネルを使用してもよい。
【００５０】
送信５０４では、ｅＮＢ１０８は、第３のＵＥ装置１４８に参照信号送信指示１５２を送信し、本指示は、第３のＵＥ装置１４８が第２の参照信号１５０を送信するために使用すべき通信リソースを識別する。例として、指示１５２は、ＰＤＣＣＨ／ＰＤＳＣＨで送信されるが、他のチャネルを使用してもよい。
【００５１】
第１の参照信号１４０は、第１のＵＥ装置１０２によって送信され、送信５０６で第２のＵＥ装置によって受信される。第２の参照信号１５０は、第１のＵＥ装置１０２から第１の参照信号１４０が送信されるのと同時に、第３のＵＥ装置１４８から送信される。明瞭にするために、図５では、メッセージ図内で同じ位置（周波数リソース）にある２つの送信５０６、５０８は示していない。したがって、図５では、送信５０６の下に送信５０８を示しているが、２つの送信５０６、５０８は、同時に発生している。第１の参照信号は、第２のＵＥ装置において受信され、かつｅＮＢにおいて受信される可能性もある。第２の参照信号１５０は、ｅＮＢにおいて受信される。
【００５２】
上述の通り、第２のＵＥ装置１０４は、Ｄ２Ｄチャネル特性情報を判定する。ＣＳＩパラメータなどのＤ２Ｄチャネル特性情報は、送信５１０で、ｅＮＢに報告される。
【００５３】
イベント５１２では、ｅＮＢは、第１の参照信号１４０がｅＮＢにおいて引き起こした第２の参照信号１５０に対する干渉のレベルを判定する。干渉のレベルを判定する好適な手法の例として、第１の参照信号の総電力の測定、又は参照信号１４０、１５０の電力比の判定が挙げられる。干渉レベルに基づき、ｅＮＢは、Ｄ２Ｄ通信用に第１のＵＥ装置に割り振られた通信リソースを第３のＵＥ装置１４８に割り振れるかどうかを判定する。
【００５４】
送信５１４では、ｅＮＢ１０８は、第１のＵＥ装置１０２にＤ２Ｄ送信パラメータを送信する。送信５１６では、ｅＮＢ１０８は、第３のＵＥ装置１４８にセルラ送信パラメータを送信し、割り振られた通信リソースは、干渉のレベルに基づいている。干渉のレベルが十分に低い場合、同じ通信リソースが再利用され、第１のＵＥ装置及び第３のＵＥ装置に割り振られる。
【００５５】
図６は、ネットワーク支援参照信号送信に基づく、Ｄ２Ｄ  ＵＥ装置における干渉のレベルの判定の一例を示すメッセージ図６００である。したがって、図６を参照して検討したメッセージ送信は、図１Ａ及び図１Ｄを参照して検討した例に好適なメッセージ送信の一例を提示する。例として、第３のＵＥ装置１４８は、Ｄ２Ｄ通信を使用して通信している、あるいは通信することを要求しているＤ２Ｄ  ＵＥ装置である。簡潔かつ明瞭にするために、他の図を参照して検討した一部の送信及び一部の状況において発生し得る送信は、図６では示していない。例えば、第４のＵＥ装置との通信は、図６では省略されている。
【００５６】
送信６０２では、ｅＮＢは、第１のＵＥ装置に対して参照信号を送信するように指示する参照信号送信指示１４４を第１のＵＥ装置１０２に送信する。例として、本指示は、ＰＤＣＣＨ／ＰＤＳＣＨチャネルを介して送信されるが、他のチャネルを使用してもよい。
【００５７】
送信６０４では、ｅＮＢは、第３のＵＥ装置に対して参照信号を送信するように指示する参照信号送信指示１５８を第３のＵＥ装置１５４に送信する。例として、本指示は、ＰＤＣＣＨ／ＰＤＳＣＨチャネルを介して送信されるが、他のチャネルを使用してもよい。
【００５８】
送信６０６では、ｅＮＢは、第２のＵＥ装置１０４に参照信号受信指示１４６を送信して、第２のＵＥ装置が参照信号１４０を受信するのを補助するための情報を第２のＵＥ装置１０４に提供する。例として、本指示は、ＰＤＣＣＨ／ＰＤＳＣＨチャネルを介して送信されるが、他のチャネルを使用してもよい。
【００５９】
送信６０８及び送信６１０では、２つのＵＥ装置が同時にかつ同じ周波数で参照信号を送信する。第１のＵＥ装置１０２は、第１の参照信号を送信する。第３のＵＥ装置１５４は、第１の参照信号１４０と同時にかつ同じ周波数で、他の参照信号１５６を送信する。
【００６０】
送信６１２では、第２のＵＥ装置は、他の参照信号１５６が第２のＵＥ装置において引き起こした第１の参照信号１４０に対する干渉のレベルに関する干渉情報を含む、Ｄ２Ｄチャネル特性情報を送信する。干渉のレベルを判定する好適な手法の例として、第１の参照信号の総電力の測定、又は参照信号の電力比の判定が挙げられる。
【００６１】
イベント６１４では、ｅＮＢは、報告された干渉レベルに基づいて通信リソースを選択する。干渉レベルに基づき、ｅＮＢは、Ｄ２Ｄ通信用に第１のＵＥ装置に割り振られた通信リソースを第３のＵＥ装置１４８に割り振れるかどうかを判定する。
【００６２】
送信６１６では、ｅＮＢ１０８は、第１のＵＥ装置１０２にＤ２Ｄ送信パラメータを送信する。送信６１８では、ｅＮＢ１０８は、第３のＵＥ装置１５４にＤ２Ｄ送信パラメータを送信し、割り振られた通信リソースは、干渉のレベルに基づいている。干渉のレベルが十分に低い場合、同じ通信リソースが再利用され、第１のＵＥ装置及び第３のＵＥ装置に割り振られる。
【００６３】
図７は、ｅＮＢ１０８において行われるネットワーク支援参照信号送信を用いた、通信を管理する方法の一例を示すフローチャートである。本明細書の例では、本方法は、制御部でコードを実行し、ｅＮＢ１０８の他の構成要素を利用することによって行われる。本方法のステップは、異なる順序で行われてもよく、一部のステップは、状況によっては、同時に行われてもよい。例えば、参照信号送信指示は、複数のＵＥ装置に同時に送ることができる。上述の通り、上で検討した様々な例は、独立して行ってもよいし、一括して行ってもよい。したがって、図７における一部のステップは、一部の状況においては省略されてもよい。例えば、状況によっては、干渉レベルが判定されず、ステップ７０６が省略される。
【００６４】
ステップ７０２では、ｅＮＢは、１つ又は２つ以上のＵＥ装置に対して、参照信号を送信するように指示する。本指示は、特定のリソースを示すメッセージを含んでいてもよく、あるいは装置が参照信号用に使用し得る一組のリソースを示していてもよい。ｅＮＢが通信リソースを再利用する可能性を調査する状況では、参照信号送信指示が複数のＵＥ装置に送られ、同じ時間及び周波数を特定する。例えば、１つのセルラＵＥ、第１のＤ２Ｄペアからの１つのＵＥ装置、及び第２のＤ２Ｄペアからの別のＵＥ装置は、同じ時間及び周波数で、参照信号を送信するように指示されてもよい。通信リソースの再利用が考察されない場合、参照信号送信用の直交通信リソースが異なるＵＥ装置に割り振られる。
【００６５】
ステップ７０４では、ｅＮＢは、ＵＥ装置から送信された参照信号を受信する。ｅＮＢは、少なくともセルラＵＥ装置からの参照信号を受信して、セルラ上りリンクチャネルの管理を容易にする。Ｄ２Ｄ  ＵＥ装置が参照信号を送信する場合、ｅＮＢは、Ｄ２Ｄ  ＵＥ装置参照信号も受信してもよい。
【００６６】
ステップ７０６では、ｅＮＢは、Ｄ２Ｄ参照信号に起因するｅＮＢでの干渉のレベルを判定する。Ｄ２Ｄ参照信号がセルラ参照信号と同じ時間及び周波数で送信される場合、ｅＮＢは、干渉のレベルを判定する。干渉のレベルを使用して、参照信号を送信しているＵＥ装置のセルラ及びＤ２Ｄ通信用に通信リソースを使用できるかどうかを判定する。
【００６７】
ステップ７０８では、ｅＮＢは、Ｄ２Ｄ参照信号を受信しているＤ２Ｄ  ＵＥ装置からＤ２Ｄチャネル特性情報を受信する。状況によっては、Ｄ２Ｄチャネル特性情報は、干渉レベル情報を含む。例えば、ＵＥ装置が同じ時間及び周波数で参照信号を送信する場合、参照信号は、他のＤ２Ｄ  ＵＥ装置において受信され、干渉のレベルが判定及び報告されてもよい。
【００６８】
ステップ７１０では、ｅＮＢは、参照信号（干渉レベル）及びＤ２Ｄチャネル特性情報に基づいてＤ２Ｄ送信パラメータを決定する。ｅＮＢは、干渉レベルに基づいて、通信リソースをＤ２Ｄ  ＵＥ装置用に再利用できるかどうかを判定する。ｅＮＢはまた、符号化、変調、送信電力、時間／周波数リソース、及びＭＩＭＯパラメータの任意の組合せを含み得る、適切な送信パラメータを決定する。他のパラメータが含まれていてもよい。
【００６９】
ステップ７１２では、Ｄ２Ｄ送信パラメータがＤ２Ｄ  ＵＥ装置に割り振られる。パラメータは、ＰＤＣＣＨ／ＰＤＳＣＨを使用して割り振られてもよい。
【００７０】
図８は、参照信号を含む、Ｄ２Ｄ  ＵＥ装置による送信の一例を示す図である。ｅＮＢは、参照信号１４０を送信するようにＤ２Ｄ  ＵＥ装置を設定する。３ＧＰＰ  ＬＴＥ仕様の１つ又は２つ以上の改訂版に従ったセルラ上りリンク通信帯域における送信であるが、状況によっては、セルラ下りリンク帯域を使用してもよい。図８の例では、ｅＮＢは、Ｄ２Ｄ送信用に使用される固定周波数帯域において参照信号を送信するように、Ｄ２Ｄ  ＵＥ装置を設定している。複数のＤ２Ｄ  ＵＥ装置が設定され、干渉が判定されない場合、ｅＮＢは、直交リソースで参照信号を送信するようにＤ２Ｄ  ＵＥ装置を設定する。
【００７１】
例として、参照信号１４０は、Ｔサブフレーム８０２の期間において送信される。参照信号を送信した後、ＵＥ装置は、ｅＮＢからＤ２Ｄ送信パラメータを受信し、サブフレームｎ８０６においてスケジューリング割当８０４を送信する。スケジューリング割当（ＳＡ）８０４は、その後のサブフレームにおいてＤ２Ｄ送信用に使用されるであろうＤ２Ｄ通信リソースを示している。例として、ＳＡ８０４は、Ｄ２Ｄ送信用に使用すべき４つのサブフレーム８０８、８１２、８１４、８１６におけるＤ２Ｄ通信リソースを識別する。サブフレームｎ＋ｘ８０８において、ＵＥ装置は、Ｄ２Ｄ送信８１０を送信する。ＵＥ装置はまた、サブフレームｎ＋ｘ＋１  ８１２、サブフレームｎ＋ｙ８１４及びサブフレームｎ＋ｙ＋１  ８１６においてデータを送信する。
【００７２】
本発明の他の実施形態及び変更例が、これらの教示を参酌して、当業者に容易に創作されることとなるのは明らかである。上述の記載は、例示的であり、限定的なものではない。本発明は、上記の明細書及び添付の図面に基づく実施形態及び変更例の全てを含む、以下の請求の範囲によってのみ限定されることとなる。従って、本発明の範囲は、上記の説明を参照して判定されるのではなく、均等物の全範囲と共に、添付される請求の範囲を参照して判定されるべきである。
【図１Ａ】
0006405447.tif 000002
【図１Ｂ】
0006405447.tif 000003
【図１Ｃ】
0006405447.tif 000004
【図１Ｄ】
0006405447.tif 000005
【図２】
0006405447.tif 000006
【図３】
0006405447.tif 000007
【図４】
0006405447.tif 000008
【図５】
0006405447.tif 000009
【図６】
0006405447.tif 000010
【図７】
0006405447.tif 000011
【図８】
0006405447.tif 000012